(57)【特許請求の範囲】
【請求項１】
蒸発器を備える吸収冷凍機と、この吸収冷凍機から独立した系のフロン系冷媒の凝縮器、蒸発器を有し、これら凝縮器、蒸発器の間を冷媒液管及び冷媒ガス管でつないだ熱移動サイクルとを備える空調システムにおいて、
前記フロン系冷媒の凝縮器に、前記吸収冷凍機の蒸発器からの冷媒液を還流させてフロン系冷媒を冷却して凝縮液化させ、
このフロン系冷媒を冷却することによって昇温した前記吸収冷凍機の冷媒液を、吸収冷凍機の蒸発器内でフラッシングさせて冷却するシステムであって、
前記熱移動サイクルを、前記蒸発器の設置高さごとに夫々独立する複数の系で構成したことを特徴とする空調システム。
【請求項２】
蒸発器、再生器を備える吸収冷凍機と、この吸収冷凍機から独立した系のフロン系冷媒の凝縮器、蒸発器を有し、これら凝縮器、蒸発器の間を冷媒液管及び冷媒ガス管でつないだ熱移動サイクルとを備える空調システムにおいて、
前記熱移動サイクルを、前記蒸発器の設置高さごとに夫々独立する複数の系で構成し、
前記フロン系冷媒の凝縮器に、前記吸収冷凍機の蒸発器からの冷媒液を還流させてフロン系冷媒を冷却して凝縮液化させ、
このフロン系冷媒を冷却することによって昇温した吸収冷凍機の冷媒液を、吸収冷凍機の蒸発器内でフラッシングさせて冷却し、
前記吸収冷凍機の蒸発器内に伝熱管を設けて冷水を冷却することを特徴とする空調システム。
【請求項３】
前記フロン系冷媒の凝縮器に冷媒タンクを接続し、この冷媒タンクと前記フロン系冷媒の蒸発器とを冷媒液ポンプを介して配管接続し、この配管の前記冷媒タンク内部分に、冷媒タンクの液面によって前記冷媒液ポンプの吐出量を制御するフロート弁を設け、このフロート弁の下流側に冷媒液を前記冷媒タンクに戻すバイパス配管を接続することを特徴とする請求項２記載の空調システム。
【請求項４】
前記吸収冷凍機の蒸発器の冷媒液温度を検出する温度検出器、及びこの温度検出器が検出する温度により前記再生器の加熱量を制御する制御手段と、前記蒸発器の冷水出口温度を検出する温度検出器、及びこの温度検出器が検出する温度により前記蒸発器の伝熱管に散布する冷媒液量を制御する制御手段と、前記フロン系冷媒の凝縮器の凝縮圧を検出する圧力検出器、及びこの圧力検出器が検出する圧力により前記フロン系冷媒の凝縮器に還流する吸収冷凍機の蒸発器からの冷媒液量を制御する制御手段とを備えたことを特徴とする請求項２記載の空調システム。
【請求項５】
前記吸収冷凍機の蒸発器の冷水出口温度によって伝熱管に散布する冷媒液量を制御するため、温度調節計の出力を反転する演算器及び切り替えスイッチを介した出力信号と、前記フロン系冷媒の凝縮圧力によってフロン系冷媒の凝縮器に還流する吸収冷凍機の蒸発器から冷媒液量を制御するための圧力調節計の出力信号とから、小さい方の信号を選択する選択演算器を介して前記フロン系冷媒の凝縮器に還流する吸収冷凍機の蒸発器からの冷媒液量を制御する速度制御装置に送り、
また、前記フロン系冷媒の凝縮器の凝縮圧力によって凝縮器に還流する吸収冷凍機の蒸発器からの冷媒液量を制御するため、圧力調節計の出力を反転する演算器及び切り替えスイッチを介した出力信号と、前記吸収冷凍機の蒸発器の冷水出口温度によって伝熱管に散布する冷媒液量を制御する温度調節計の出力信号とから小さい方の信号を選択する選択演算器を介して吸収冷凍機の蒸発器の伝熱管に散布する冷媒液量を制御する速度制御装置に送り、
フロン系冷媒による冷却と冷水による冷却とのどちらかの能力を優先することを特徴とする請求項４記載の空調システム。
【発明の詳細な説明】
【０００１】
【発明の属する技術分野】
本発明は、吸収冷凍機を熱源とする冷媒循環式の空調システムに係り、特に冷房空調対象が異なるか、もしくは多層階の建物の異なる階層ごとに空調する場合に好適な、フロン系冷媒を循環させる冷媒循環式と冷却された冷水を循環させる冷水冷却冷媒循環式とを併用した空調システムに関する。
【０００２】
【従来の技術】
従来、吸収冷凍機を熱源とする冷媒循環式の空調（冷房）システムでは、空気調和・衛生工学会学術講演会論文「燃料電池排熱利用空調システムの検討」に記載されているとおり、フロン系冷媒を吸収冷凍機の蒸発器の伝熱管内で凝縮させていた（従来技術１）。
【０００３】
また従来、たとえば特開平３―１９５８３８号公報に記載されるように、フロン系冷媒を使用した冷媒自然循環式空調システムにおいては、一つの凝縮器で凝縮した冷媒液を階層の異なるところに配置した蒸発器に供給されていた（従来技術２）。
【０００４】
さらに従来、フロン系の凝縮器を下部に配置し、蒸発器を上部に配置する場合、フロン系冷媒液を移送する冷媒ポンプを取り付けなければならないが、冷媒ポンプのキャビテーションを防止するため、空気調和・衛生工学会学術講演論文「燃料電池排熱利用空調システムの検討」（その８  熱輸送システムにおける冷媒ポンプの運転制御方法）に記載されるような技術があった（従来技術３）。
【０００５】
また従来、吸収冷凍機でフロン系冷媒を凝縮させて熱移送して空調する手段と、冷却冷水を移送して空調する手段とを併用する場合の具体的制御手段については、提案されていなかった。
【０００６】
【発明が解決しようとする課題】
上記従来技術１に記載する方式の場合、冷媒循環式空調システムに使用するフロン系冷媒が高圧冷媒であることから、吸収冷凍機の伝熱管及び、管板と仕切室とを高圧ガスに耐える構造（たとえば、高圧ガス保安法に定める規則）で製作しなければならず、吸収冷凍機の大幅な改造が必要であった。また、フロン系冷媒を凝縮して移送することと冷水の移送とを同時に行うシステムにはなっておらず、またフロン系冷媒の凝縮器の容量（凝縮能力）を複数に分割するものでもなかった。
【０００７】
また、従来技術２に記載される方式では、フロン系冷媒の蒸発器の冷媒液入口に流量制御弁を取り付ける必要があり、このため冷媒液配管の圧力損失も大きくなり、また凝縮温度と蒸発温度との差が大きくなって、冷却能力の低下を招くことに対して配慮されていなかった。
さらに従来技術３に記載される技術では、複雑な制御を必要としていた。
【０００８】
本発明の目的は、フロン系冷媒の凝縮器を、吸収冷凍機の蒸発器からの冷媒で直接冷却することによって、吸収冷凍機の改造を最小限にとどめることができる空調システムを提供することにある。
また本発明の他の目的は、たとえば一台の吸収冷凍機でフロン系冷媒の冷却凝縮化と冷水冷却とを同時に行うことが可能であり、このため冷房空調の異なる対象に合わせて空調に供される冷媒液と冷水とを同時に移送して空調することができる空調システムを提供することにある。
【０００９】
【課題を解決するための手段】
上記目的を達成するため本発明に係る冷却装置の発明の構成は、蒸発器を備える吸収冷凍機と、この吸収冷凍機から独立した系のフロン系冷媒の凝縮器、蒸発器を有し、これら凝縮器、蒸発器の間を冷媒液管及び冷媒ガス管でつないだ熱移動サイクルとを備える空調システムにおいて、前記フロン系冷媒の凝縮器に、前記吸収冷凍機の蒸発器からの冷媒液を還流させてフロン系冷媒を冷却して凝縮液化させ、このフロン系冷媒を冷却することによって昇温した前記吸収冷凍機の冷媒液を、吸収冷凍機の蒸発器内でフラッシングさせて冷却するものである。
【００１０】
好ましくは、前記吸収冷凍機と独立した系のフロン系冷媒の凝縮器、蒸発器を備え、これら凝縮器、蒸発器の間を冷媒液管及び冷媒ガス管でつないだ熱移動サイクルを、夫々独立する複数の系で構成したものである。
また、前記吸収冷凍機と独立した系のフロン系冷媒の凝縮器、蒸発器を備え、これら凝縮器、蒸発器の間を冷媒液管及び冷媒ガス管でつないだ熱移動サイクルを、前記蒸発器の設置高さごとに夫々独立する複数の系で構成したものである。
【００１１】
上記目的を達成するため本発明に係る冷却装置の他の発明の構成は、蒸発器、再生器を備える吸収冷凍機と、この吸収冷凍機から独立した系のフロン系冷媒の凝縮器、蒸発器を有し、これら凝縮器、蒸発器の間を冷媒液管及び冷媒ガス管でつないだ熱移動サイクルとを備える空調システムにおいて、前記フロン系冷媒の凝縮器に、前記吸収冷凍機の蒸発器からの冷媒液を還流させてフロン系冷媒を冷却して凝縮液化させ、このフロン系冷媒を冷却することによって昇温した吸収冷凍機の冷媒液を、吸収冷凍機の蒸発器内でフラッシングさせて冷却し、前記吸収冷凍機の蒸発器内に伝熱管を設けて冷水を冷却するものである。
【００１２】
好ましくは、前記フロン系冷媒の凝縮器に冷媒タンクを接続し、この冷媒タンクと前記フロン系冷媒の蒸発器とを冷媒液ポンプを介して配管接続し、この配管の前記冷媒タンク内部分に、冷媒タンクの液面によって前記冷媒液ポンプの吐出量を制御するフロート弁を設け、このフロート弁の下流側に冷媒液を前記冷媒タンクに戻すバイパス配管を接続するものである。
【００１３】
また、前記吸収冷凍機の蒸発器の冷媒液温度を検出する温度検出器、及びこの温度検出器が検出する温度により前記再生器の加熱量を制御する制御手段と、前記蒸発器の冷水出口温度を検出する温度検出器、及びこの温度検出器が検出する温度により前記蒸発器の伝熱管に散布する冷媒液量を制御する制御手段と、前記フロン系冷媒の凝縮器の凝縮圧を検出する圧力検出器、及びこの圧力検出器が検出する圧力により前記フロン系冷媒の凝縮器に還流する吸収冷凍機の蒸発器からの冷媒液量を制御する制御手段とを備えたものである。
【００１４】
また、前記吸収冷凍機の蒸発器の冷水出口温度によって伝熱管に散布する冷媒液量を制御するため、温度調節計の出力を反転する演算器及び切り替えスイッチを介した出力信号と、前記フロン系冷媒の凝縮圧力によってフロン系冷媒の凝縮器に還流する吸収冷凍機の蒸発器から冷媒液量を制御するための圧力調節計の出力信号とから、小さい方の信号を選択する選択演算器を介して前記フロン系冷媒の凝縮器に還流する吸収冷凍機の蒸発器からの冷媒液量を制御する速度制御装置に送り、また、前記フロン系冷媒の凝縮器の凝縮圧力によって凝縮器に還流する吸収冷凍機の蒸発器からの冷媒液量を制御するため、圧力調節計の出力を反転する演算器及び切り替えスイッチを介した出力信号と、前記吸収冷凍機の蒸発器の冷水出口温度によって伝熱管に散布する冷媒液量を制御する温度調節計の出力信号とから、小さい方の信号を選択する選択演算器を介して吸収冷凍機の蒸発器の伝熱管に散布する冷媒液量を制御する速度制御装置に送り、フロン系冷媒による冷却と冷水による冷却とのどちらかの能力を優先するものである。
【００１５】
【発明の実施の形態】
以下、本発明の実施の形態を図を参照して説明する。
図１は、本発明に係る空調システムの実施例のシステム図である。
【００１６】
蒸発器１、吸収器２、凝縮器３、再生器４、熱交換器５、溶液ポンプ６からなる吸収冷凍機２０は、蒸気または排熱温水などの加熱源９により、蒸発器１内の冷媒液８を蒸発させて冷却する。
【００１７】
フロン系冷媒の凝縮器１０ａ、冷媒タンク１１ａ、蒸発器１２ａ、１２ｂ、冷媒液配管１４、冷媒蒸気配管１５で１つのループを構成した冷媒自然循環式空調システムと、凝縮器１０ｂ、冷媒タンク１１ｂ、蒸発器１３ａ、１３ｂ、冷媒液配管１６、冷媒蒸気配管１７で他の１つのループを構成した冷媒自然循環式空調システムとで構成し、それぞれの凝縮器１０ａ、１０ｂに、吸収冷凍機２０の蒸発器１で冷却した冷媒液８を吸収式冷媒ポンプ１８ａ、１８ｂで循環させ、フロン系冷媒を冷却液化する。フロン系冷媒を冷却液化した、吸収冷凍機２０の冷媒液（冷水）８は反対に加熱され、吸収冷凍機２０の蒸発器１内でフラッシングさせ、冷媒液８の一部が蒸発して再び元の温度に冷却される。蒸発した冷媒蒸気は、吸収器２で溶液に吸収され、再生器４に送られ加熱され、冷媒は溶液から分離されて再生する。
【００１８】
液化したフロン系冷媒は、タンク１１ａ、１１ｂに溜り、冷媒液配管１４、１６を介して冷房空調する室内に取り付けた蒸発器１２ａ、１２ｂ、１３ａ、１３ｂに送られ、蒸発器１２ａ、１２ｂ、１３ａ、１３ｂに設けられたファンによって室内空気と熱交換しながら循環する。室内の空気と熱交換して室内空気を冷却し、冷媒液自身は蒸発し、冷媒蒸気配管１５、１７を介して凝縮器１０ａ、１０ｂに還流し、再び吸収冷凍機２０の冷媒液８によって冷却液化される。
【００１９】
このような冷媒自然循環式の熱移送システムにおいては、配管径を細くするため、一般にＲ１３４ａのような高圧冷媒が使用される。従って、凝縮器１０ａ、１０ｂは、たとえば高圧ガス保安法に定める規則に従って製作しなければならない。しかし本実施例では、吸収冷凍機２０内の冷媒液８は、凝縮器１０ａ、１０ｂの冷却水扱いとなり、高圧ガス保安法の適用外となり、吸収冷凍機２０の改造が容易にできる。
【００２０】
凝縮器１０a、１０ｂは、吸収冷凍機２０の特性上、冷媒液８の流れる部分は機密を要するため、吸収冷凍機２０に近接して配置されている。このため、吸収冷凍機２０で冷水を作り、この冷水をフロン系冷媒の凝縮器１０a、１０bを蒸発器１２a、１２b、１３a、１３bの近傍に配置して移送する従来方式の場合より、配管距離が短くなり、圧力損失が減って冷媒液ポンプ１８a、１８bの移送のための動力が少なくてすむ。また、冷媒液８の温度は、吸収冷凍機２０の蒸発器１内に伝熱管を設け、この伝熱管に冷媒液を散布して冷水を得るよりも冷水温度は、概ね３℃から４℃程度低くなる。このため、フロン系冷媒の凝縮器１０a、１０bの凝縮温度が下がり、それにつれて蒸発器１２a、１２b、１３a、１３bの蒸発温度も下がる。このため、冷房空調する室内の空気温度との温度差が大きくなって、冷房空調の能力が増大する。
【００２１】
本実施例では、蒸発器１２a、１２b、１３a、１３bの建物の設置階層毎にフロン系冷媒の凝縮器１０a、１０bを分割している。このため、下層に配置された蒸発器に冷媒液が滞留して冷媒が循環しなくなる、という不具合が発生しない。たとえば、蒸発器１２a、１２b、１３a、１３bに凝縮器１０aから冷媒液を供給する場合、冷媒液が下層の蒸発器１３a、１３bに滞留して、冷媒蒸気配管１７を冷媒液で閉塞し冷媒が循環しなくなる、という分割しない場合の従来方式で考えられる不具合が発生しなくなる。
【００２２】
本実施例によれば、フロン系冷媒の凝縮器を、吸収冷凍機の蒸発器の冷媒で直接冷却するので、吸収冷凍機の改造を最小限にとどめることができる。
また、フロン系冷媒の凝縮器を容易に分割することができ、このため所望の容量ごとに凝縮器を分割して蒸発器と組み合せることにより、需要先の必要とする冷房空調需要にフレキシブルに対応することができる。
また、フロン系冷媒の凝縮器を容易に分割することができるので建物の階層ごとに凝縮器を分割して蒸発器と組み合せることにより、下層に配置された蒸発器に冷媒液が滞留して冷媒が循環しなくなるということがなくなり、全ての階層を良好に冷房空調することができる。
【００２３】
図２は、本発明に係る、冷媒強制循環式と冷水冷却冷媒自然循環式とを併用した空調システムの実施例のシステム図である。
吸収冷凍機２０aは、図１で説明した構成の吸収冷凍機に冷水冷却用伝熱管３３と、この伝熱管３３に冷媒液８を散布する吸収冷媒ポンプ３０を追設したものである。
【００２４】
本実施例では、フロン系冷媒の蒸発器２６a、２６b、２７a、２７bより下層に吸収冷凍機２０aが設置されている。このため、フロン系冷媒の凝縮器１０で冷却液化した冷媒液を溜めた冷媒タンク１１より、冷媒液を吸引して昇圧し蒸発器２６a、２６b、２７a、２７bに冷媒液を移送する冷媒液ポンプ２１を取り付けている。フロン系冷媒の蒸発器２６a、２６b、２７a、２７bには、各蒸発器２６a、２６b、２７a、２７bの出口の冷媒蒸気の加熱度により、これら蒸発器２６a、２６b、２７a、２７bに流入する冷媒液量を調節するための制御装置２８a、２８b、２９a、２９bが取り付けられている。強制循環冷媒蒸気配管２５は、蒸発器２６a、２６b、２７a、２７bと凝縮器１０とをつないでいる。
【００２５】
冷媒タンク１１内の冷媒液の量は起動・停止時や、冷房空調の負荷変化によって変化し、場合によっては空になることも考えられる。このため、冷媒タンク１１内に、冷媒液ポンプ２１の吐出側の強制循環冷媒液配管２４にフロート弁２２を取り付ける。フロート弁２２は、冷媒タンク１１内の冷媒液面が下がると開度を閉じて冷媒液ポンプ２１の吐出量を絞り、冷媒液面が上がると開度を開いて冷媒液ポンプ２１の吐出量を増加させるように動作する。フロート弁２２の下流に取り付けた、流量調整装置２３は、フロート弁２２が全閉になってもわずかにリークする量を、最下層に設置した蒸発器２７ａ、２７ｂの位置ヘッドと等価な差圧で冷媒タンク１１に戻すバイパス配管である。
【００２６】
以上の制御により、冷媒タンク１１内の液面が下がると冷媒液ポンプ２１の流量を絞り、冷媒タンク１１内の液面が上がると冷媒液ポンプ２１の流量を増加させるので、冷媒液ポンプ２１がキャビティーションを起こすことはない。また、バイパス配管を取り付けているので、凝縮器１０より凝縮して流入する冷媒液量がほぼゼロになったとしても、冷媒液が冷媒タンク１１から出てゆかないため、冷媒液ポンプ２１が空運転することはない。
【００２７】
本実施例では、吸収冷凍機２０aに追設した伝熱管３３は蒸発器１内にあり、またフロン系冷媒の凝縮器１０を吸収冷凍機２０aの外部に取り付ける構造になっている。このため、たとえば高圧ガス保安法の適用を受けない標準の吸収冷凍機と同様にして取り付けることができ、吸収冷媒ポンプ３０により上部から散布された冷媒液８が伝熱管３３の外周で蒸発し、伝熱管３３内を流れる冷水３２を冷却する。冷水３２は冷水ポンプ３１によって、より高層部に配置された冷媒自然循環式の空調システムの凝縮器３４a、３４bに移送されて、フロン系冷媒を凝縮液化し、この凝縮液化した冷媒は冷媒自然循環式の空調システムの蒸発器１２a、１２bに送られ、高層階の室内を冷房空調する。なお、高層階まで冷媒液を移送すると、冷媒液ポンプ２１の必要ヘッドが、配管ロス以外に位置のヘッドも加わるため非常に高くなり、大きな動力を必要とすることがある。このような場合、冷水３２を送る配管を閉回路として、高層階の凝縮器３４a、３４bに冷水を移送する方が、位置のヘッドが必要なく、配管ロスのみですむため移送動力が少なくてすむ。
【００２８】
上述するように、一台の吸収冷凍機２０ａで冷媒冷却と冷水冷却とを併用すると、冷熱の移送動力を低減することができる。また、たとえば電算機室等の一般事務室とは対象の異なる部屋を冷房空調するために、電算機室等へはフロン系冷媒の冷熱を送り、一般事務室には冷水を送って冷房空調することも可能となり、一台の吸収冷凍機で二つの異なった対象の冷房需要を賄うことができる。
【００２９】
本実施例によれば、吸収冷凍機でフロン系冷媒の冷却凝縮化と冷水冷却とを同時に行い、冷房空調の対象に合わせて供給することができる。
また、吸収冷凍機を建物の下層部に配置し冷媒ポンプを使用して昇圧する場合に、高層階の凝縮器３４a、３４bに冷水を移送することによって、位置のヘッドが必要なく、配管ロスのみですむため冷媒ポンプによる移送動力を軽減することができる。
【００３０】
図３は、図２に示す実施例の詳細な制御システム図である。
【００３１】
吸収冷凍機２０ａの蒸発器内の冷媒液８は、フロン系冷媒の凝縮器１０内で冷媒蒸気を凝縮液化するために必要な温度、及び冷水３２を所定の温度まで冷却するために必要な温度より低い温度になるように、温度検出器３５によって検出された信号により温度調節計３６が制御弁３７を作動させ、加熱源９の流量を調節する。
【００３２】
冷房負荷が減少した場合、フロン系冷媒の凝縮器１０に還流する冷媒ガス量が減少し、凝縮器内の圧力が低下する。反対に冷房負荷が増加した場合、フロン系冷媒の凝縮器１０に還流する冷媒ガス量が増加し、凝縮器内の圧力が上昇する。従って、凝縮器１０の圧力を一定に保持するように凝縮器１０に還流する吸収冷凍機の冷媒液８の量を調節すれば、冷房負荷に見合った凝縮量に調整できる。
【００３３】
本実施例では、凝縮器１０の圧力を、圧力検出器３８で検出し、その信号により、圧力調節計３９が吸収冷媒液ポンプ１８の速度制御装置４１に信号を与え、凝縮器１０に還流する吸収冷凍機２０aの冷媒液８の量を調節する。
【００３４】
冷水３２の冷却系の冷房負荷が減少すると冷水の戻り温度が下がり、吸収冷凍機２０aの出口温度も下がる。反対に冷房負荷が増加すると冷水の戻り温度が上がるので吸収冷凍機２０aの出口温度も上がる。従って、冷水出口温度を一定に保持すれば、吸収冷凍機２０aの能力を負荷に見合った値に調節できる。
【００３５】
本実施例では、冷水出口温度を温度検出器４２で検出し、その信号により、温度調節計４３が吸収冷媒液ポンプ３０の速度制御装置４５に信号を与え、伝熱管３３に散布する吸収冷凍機２０aの冷媒液８の量を調節する。
【００３６】
次に吸収冷凍機２０aの冷熱を、フロン系冷媒循環側に優先的に供給する場合と、冷水供給側に優先的に供給する場合との切り替え制御について説明する。
【００３７】
演算器４６、４７は、圧力調節計３９及び温度調節計４３の出力信号を反転する演算器、切り替えスイッチ４８、４９はどちらかが閉になっていたら反対側は開になるスイッチである。また選択演算器４０は、圧力調節計３９の信号と温度調節計４３の信号とがそれぞれ演算器４６、４７によって反転された信号のうち、小さい方の信号を選択して吸収冷媒液ポンプ１８の速度制御装置４１に送る。同様に、選択演算器４４は、温度調節計４３の信号と圧力調節計３９の信号とがそれぞれ演算器４６、４７によって反転された信号のうち、小さい方の信号を選択して吸収冷媒液ポンプ３０の速度制御装置４５に送る。
【００３８】
この様な構成において、冷水側に冷熱を優先的に送る場合について説明する。この場合、別途操作によって切り替えスイッチ４８は閉じ、切り替えスイッチ４９は開いている。温度調節計４３の信号は、切り替えスイッチ４９が開いているため、そのまま吸収冷媒液ポンプ３０の速度制御装置４５に与えられ、冷水負荷が必要とする冷熱量となるよう伝熱管３３に吸収冷凍機２０ａの冷媒液８が散布される。反対に、凝縮器１０に供給される吸収冷凍機２０ａの冷媒液量は、温度調節計４３の信号が演算器４７によって反転され切り替えスイッチ４８を経由して選択演算器４０に与えられるので、フロン系冷媒循環側に負荷が有り、圧力調節計３９の出力が高くなっていても冷水負荷があると演算器４７で反転されて小さくなった信号が選択演算器４０で選択され、凝縮器１０に供給される吸収冷凍機２０ａの冷媒液量が絞られる。このため、冷熱は優先的に冷水側に供給されることになる。
本実施例によれば、吸収冷凍機でフロン系冷媒の冷却凝縮化と冷水冷却とを同時に行い、フロン系冷媒の冷却能力と冷水冷却の能力のどちらかを優先するように制御することができる
【００３９】
【発明の効果】
本発明によれば空調システムにおいて、フロン系冷媒の凝縮器を、吸収冷凍機の蒸発器からの冷媒で直接冷却することによって、フロン系冷媒液と冷水を同時に供給できる吸収冷凍機を既存冷凍機の簡易な改造で実現できる。
また本発明によれば、たとえば一台の吸収冷凍機でフロン系冷媒の冷却凝縮化と冷水冷却とを同時に行うことが可能であり、このため冷房空調の異なる対象に合わせて空調に供される冷媒液と冷水とを同時に移送して空調することができる。
【図面の簡単な説明】
【図１】本発明に係る空調システムの実施例のシステム図である。
【図２】本発明に係る、冷媒強制制循環式と冷水冷却冷媒自然循環式とを併用した空調システムの実施例のシステム図である。
【図３】図２に示す実施例の詳細な制御システム図である。
【符号の説明】
１、１２ａ、１２ｂ、１３ａ、１３ｂ、２６ａ、２６ｂ、２７、２７ａ、２７ｂ …蒸発器、２…吸収器、３、１０、１０ａ、１０ｂ 、３４ａ、３４ｂ …凝縮器、４…再生器、５…熱交換器、６…溶液ポンプ、７…冷却水、８…冷媒液、９…加熱源、１０、１０ａ、１０ｂ…凝縮器、１１、１１ａ、１１ｂ…冷媒タンク、１４、１６… 冷媒液配管、１５…冷媒蒸気配管、１６…冷媒液配管、１５、１７…冷媒蒸気配管、１８ａ、１８ｂ…吸収式冷媒ポンプ、２０、２０ａ…吸収冷凍機、２１…冷媒液ポンプ、２２…フロート弁、２３…流量調整装置、２４…強制循環冷媒液配管、２５…強制循環冷媒蒸気配管、２８ａ、２８ｂ、２９ａ、２９ｂ…制御装置、３０…吸収冷媒液ポンプ、３１…冷水ポンプ、３２…冷水、３３…伝熱管、３５、４２…温度検出器、３６…温度調節計、３７…制御弁、３８…圧力検出器、３９…圧力調節計、４０…選択演算器、４１、４５…速度制御装置、４６、４７…演算器、４８、４９…切り替えスイッチ。
【図１】
0004105463.tif 000002
【図２】
0004105463.tif 000003
【図３】
0004105463.tif 000004